(57)【要約】【課題】開閉式の船倉で多数のブロックを複数のブロックからなるブロック群ごとに船体に固定している固縛ワイヤの一端部を船体から取り外して固定していたブロックを水中に投入した後に、開口した船倉から水中に垂れ下がった固縛ワイヤを効率よく船上に回収することができる固縛ワイヤの回収方法および装置を提供する。【解決手段】船倉２の左右一対の底部２ａ、２ｂを開口して、それぞれの底部２ａ、２ｂの上で、多数のブロックＲを複数のブロックＲからなるブロック群１１Ａ、１１Ｂごとに、その外周を取り囲んで固定している固縛ワイヤ３Ａ、３Ｂの係合部４をフック５ａから外してブロックＲを海中に投入した際に、海中に垂れ下がった状態となる固縛ワイヤ３Ａ、３Ｂを巻取りワイヤ７Ａ、７Ｂを巻き取ることにより回収用ロープ９Ａ、９Ｂを介して船上に引揚げる。【選択図】    図２
2008137584.tif 000002
【特許請求の範囲】
【請求項１】
船倉の開閉する左右一対の底部に多数のブロックを配置し、これらブロックを左右一対の底部のそれぞれの上で、複数のブロックからなるブロック群ごとに、一端部を船体に固定し他端部を船体に取外し可能に固定した固縛ワイヤによりブロック群の外周を取り囲むようにして船体に固定するとともに、それぞれの固縛ワイヤに巻取りワイヤに接続された回収用ロープ接続し、前記左右一対の底部を開口した後、前記それぞれの固縛ワイヤの他端部を船体から取外して該固縛ワイヤにより固定していたブロック群のブロックを水中に投入し、開口した左右一対の底部から水中に垂れ下がった状態になったそれぞれの固縛ワイヤを、前記巻取りワイヤを巻き取ることにより回収用ロープを介して船上に引揚げるようにした水中に投入するブロックを船体に固定する固縛ワイヤの回収方法。
【請求項２】
前記巻取りワイヤを船倉の左右両側に１本づつ船体前後方向に延設し、前記左側に延設した１本の巻取りワイヤにより、前記左右一対の右側の底部の上でブロックを固定している固縛ワイヤを回収用ロープを介して船上に引揚げ、前記右側に延設した１本の巻取りワイヤにより前記左右一対の左側の底部の上でブロックを固定している固縛ワイヤを回収用ロープを介して船上に引揚げるようにした請求項１に記載の水中に投入するブロックを船体に固定する固縛ワイヤの回収方法。
【請求項３】
前記それぞれの回収用ロープの一端部に設けた環状部に固縛ワイヤに挿通させるとともに、該固縛ワイヤに回収用ロープの抜けを防止する抜け留め部を設けて、それぞれの回収用ロープと固縛ワイヤとを接続した請求項１または２に記載の水中に投入するブロックを船体に固定する固縛ワイヤの回収方法。
【請求項４】
前記多数のブロックをブロック群ごとに前記固縛ワイヤにより船体に固定する際に、前記回収用ロープを前記ブロック群とブロック群との間に配設するようにした請求項１〜３のいずれかに記載の水中に投入するブロックを船体に固定する固縛ワイヤの回収方法。
【請求項５】
船倉の左右両側に、一端部を船体に固定し他端部を船体に取外し可能に固定する固縛ワイヤを複数設け、該固縛ワイヤにより前記船倉の開閉する左右一対の底部に多数配置したブロックを左右一対の底部のそれぞれの上で複数のブロックからなるブロック群ごとにブロック群の外周を取り囲むようにして船体に固定可能に構成し、前記それぞれの固縛ワイヤに回収用ロープを接続するとともに、該それぞれの回収用ロープを巻取り手段により巻き取られる巻取りワイヤに接続した水中に投入するブロックを船体に固定する固縛ワイヤの回収装置。
【請求項６】
前記巻取りワイヤを船倉の左右両側に１本づつ船体前後方向に延設し、前記左側に延設した１本の巻取りワイヤと前記左右一対の右側の底部の上でブロックを固定するぞれぞれの固縛ワイヤとを回収用ロープを介して接続し、前記右側に延設した１本の巻取りワイヤと前記左右一対の左側の底部の上でブロックを固定するぞれぞれの固縛ワイヤとを回収用ロープを介して接続するように構成した請求項５に記載の水中に投入するブロックを船体に固定する固縛ワイヤの回収装置。
【請求項７】
前記それぞれの回収用ロープの一端部に環状部を設け、該環状部に固縛ワイヤを挿通させるとともに、該固縛ワイヤに回収用ロープの抜けを防止する抜け留め部を設けて、それぞれの回収用ロープと固縛ワイヤとを接続した請求項５または６に記載の水中に投入するブロックを船体に固定する固縛ワイヤの回収装置。
【請求項８】
前記多数のブロックをブロック群ごとに前記固縛ワイヤにより船体に固定する際に、前記回収用ロープを前記ブロック群とブロック群との間に配設するようにした請求項５〜７のいずれかに記載の水中に投入するブロックを船体に固定する固縛ワイヤの回収装置。
【発明の詳細な説明】
【技術分野】
【０００１】
本発明は、水中に投入するブロックを船体に固定する固縛ワイヤの回収方法および装置に関し、さらに詳しくは、開閉式の船倉で多数のブロックを複数のブロックからなるブロック群ごとに船体に固定している固縛ワイヤの一端部を船体から取外すことによって、固定していたブロックを水中に投入した後に、開口した船倉から水中に垂れ下がった状態になる固縛ワイヤを効率よく船上に回収することができる固縛ワイヤの回収方法および装置に関するものである。
【背景技術】
【０００２】
近年、海底に人工的なマウンドを設置して栄養に富んだ深層水を涌昇させて、その海域を栄養に富んだ海水にしてプランクトン等を繁殖させることにより、様々な魚介類が集まる良質な漁場を形成する計画がある。このような人工的なマウンドを形成するために、本発明者らは、船倉の底部が開閉式の作業船に複数のブロックを１つのブロック群として、ブロック群ごとに固縛ワイヤによって船体に固定して運搬し、船倉の底部を開口してこれらブロックを海底に投入する際に、固縛ワイヤの一端部を船体から取外してフリーな状態にしてブロック群ごとに時間的間隔を開けてブロックを海に投入する方法を提案している（特許文献１参照）。
【０００３】
この提案によれば、ブロックを広範囲に拡散せずに投入することができ、海底に頂部を高くしたマウンドを効率的に形成することができる。しかしながら、ブロックの投入後に固縛ワイヤが、船上から水中に垂れ下がった状態となり、船倉の底部を閉める際に挟まれることがあった。このように固縛ワイヤが挟まれた状態では、船倉の底部を完全に閉めることができないだけでなく、次のブロックの投入準備のために固縛ワイヤを船倉で取り回すことができず、作業を円滑に進めることができないという問題があった。
【０００４】
水中に垂れ下がった数多くの固縛ワイヤを単純に船上に引揚げようとすれば、多くの作業時間が必要となり、その作業時間は固縛ワイヤの本数が増える程長くなるため、作業効率が悪いという問題があった。
【特許文献１】特開２００５−２６４５８８号公報
【発明の開示】
【発明が解決しようとする課題】
【０００５】
本発明の目的は、開閉式の船倉で多数のブロックを複数のブロックからなるブロック群ごとに船体に固定している固縛ワイヤの一端部を船体から取外すことにより固定していたブロックを水中に投入した後に、開口した船倉から水中に垂れ下がった状態になる固縛ワイヤを効率よく船上に回収することができる固縛ワイヤの回収方法および装置を提供することにある。
【課題を解決するための手段】
【０００６】
上記目的を達成するため本発明の水中に投入するブロックを船体に固定する固縛ワイヤの回収方法は、船倉の開閉する左右一対の底部に多数のブロックを配置し、これらブロックを左右一対の底部のそれぞれの上で、複数のブロックからなるブロック群ごとに、一端部を船体に固定し他端部を船体に取外し可能に固定した固縛ワイヤによりブロック群の外周を取り囲むようにして船体に固定するとともに、それぞれの固縛ワイヤに巻取りワイヤに接続された回収用ロープ接続し、前記左右一対の底部を開口した後、前記それぞれの固縛ワイヤの他端部を船体から取外して該固縛ワイヤにより固定していたブロック群のブロックを水中に投入し、開口した左右一対の底部から水中に垂れ下がった状態になったそれぞれの固縛ワイヤを、前記巻取りワイヤを巻き取ることにより回収用ロープを介して船上に引揚げるようにしたことを特徴とするものである。
【０００７】
ここで、前記巻取りワイヤを船倉の左右両側に１本づつ船体前後方向に延設し、前記左側に延設した１本の巻取りワイヤにより、前記左右一対の右側の底部の上でブロックを固定している固縛ワイヤを回収用ロープを介して船上に引揚げ、前記右側に延設した１本の巻取りワイヤにより前記左右一対の左側の底部の上でブロックを固定している固縛ワイヤを回収用ロープを介して船上に引揚げるようにすることもできる。また、前記それぞれの回収用ロープの一端部に設けた環状部に固縛ワイヤに挿通させるとともに、該固縛ワイヤに回収用ロープの抜けを防止する抜け留め部を設けて、それぞれの回収用ロープと固縛ワイヤとを接続することもできる。また、前記多数のブロックをブロック群ごとに前記固縛ワイヤにより船体に固定する際に、前記回収用ロープを前記ブロック群とブロック群との間に配設することもできる。
【０００８】
また、本発明の水中に投入するブロックを船体に固定する固縛ワイヤの回収装置は、船倉の左右両側に、一端部を船体に固定し他端部を船体に取外し可能に固定する固縛ワイヤを複数設け、該固縛ワイヤにより前記船倉の開閉する左右一対の底部に多数配置したブロックを左右一対の底部のそれぞれの上で複数のブロックからなるブロック群ごとにブロック群の外周を取り囲むようにして船体に固定可能に構成し、前記それぞれの固縛ワイヤに回収用ロープを接続するとともに、該それぞれの回収用ロープを巻取り手段により巻き取られる巻取りワイヤに接続したことを特徴とするものである。
【０００９】
ここで、前記巻取りワイヤを船倉の左右両側に１本づつ船体前後方向に延設し、前記左側に延設した１本の巻取りワイヤと前記左右一対の右側の底部の上でブロックを固定するぞれぞれの固縛ワイヤとを回収用ロープを介して接続し、前記右側に延設した１本の巻取りワイヤと前記左右一対の左側の底部の上でブロックを固定するぞれぞれの固縛ワイヤとを回収用ロープを介して接続するように構成することもできる。また、前記それぞれの回収用ロープの一端部に環状部を設け、該環状部に固縛ワイヤを挿通させるとともに、該固縛ワイヤに回収用ロープの抜けを防止する抜け留め部を設けて、それぞれの回収用ロープと固縛ワイヤとを接続することもできる。また、前記多数のブロックをブロック群ごとに前記固縛ワイヤにより船体に固定する際に、前記回収用ロープを前記ブロック群とブロック群との間に配設することもできる。
【発明の効果】
【００１０】
本発明によれば、多数のブロックを船倉の開閉する左右一対の底部のそれぞれの上で複数のブロックからなるブロック群ごとにブロック群の外周を取り囲むように船体に固定するそれぞれの固縛ワイヤの他端部を船体から取外して、開口した左右一対の底部からブロックを水中に投入した際に、それぞれの固縛ワイヤが開口した左右一対の底部から水中に垂れ下がった状態になっても、それぞれの固縛ワイヤを回収用ロープを介して巻取りワイヤに接続しているので、巻取りワイヤを巻き取ることにより、その巻取りワイヤにつながっている複数の固縛ワイヤを一度に船上に引揚げて回収することができる。また、固縛ワイヤの本数が増えても回収作業に要する時間が大幅に増えることがない。このように船上から水中に垂れ下がった多数の固縛ワイヤを効率よく船上に回収することができる。
【発明を実施するための最良の形態】
【００１１】
本発明の水中に投入するブロックを船体に固定する固縛ワイヤの回収方法および装置を図に示した実施形態に基づいて説明する。
【００１２】
図１〜図３に例示するように、作業船１の船倉２は左右一対の底部２ａ、２ｂを有し、この底部２ａ、２ｂが船体幅方向中心で分割するように左右方向に開閉する構造になっている。それぞれの底部２ａ、２ｂには多数のブロックＲが碁盤目状に配置されている。
【００１３】
これら多数のブロックＲは、それぞれの底部２ａ、２ｂにおいて複数のブロックＲで１つのブロック群１１を構成している。図１の実施形態では、左右それぞれの底部２ａ、２ｂの上に船体左右方向３列、前後方向２列の合計６個のブロックＲからなるブロック群１１を複数構成し、船体左右方向３列、前後方向１列の合計３個のブロックＲからなるブロック群１１が一つ構成されている。１つのブロック群１１を構成するブロックＲの数は、これらに限定されることはない。
【００１４】
船倉２に配置された多数のブロックＲは、上記したブロック群１１ごとに固縛ワイヤ３により船体に固定されている。具体的には、船倉２の左右両側にそれぞれ複数の固縛ワイヤ３を設け、この固縛ワイヤ３は一端部を固定部材６を介して船体に固定され、他端部は係脱装置５により船体に取外し可能に固定されている。このように、両端部を船体に固定した固縛ワイヤ３が、ブロック群１１の外周を取り囲んでブロックＲを船体に固定するように構成されている。固縛ワイヤ３は、中途を支持ローラ１２により支持されている。
【００１５】
図２に詳細に例示するように、固縛ワイヤ３Ａ、３Ｂの他端部は、この他端部に設けられた係合部４を係脱装置５のフック５ａに係合することにより船体に固定されている。また、船倉２の左側に設けた固縛ワイヤ３Ａは、船倉２の右側に船体前後方向に延設された巻取りワイヤ７Ｂと回収用ロープ９Ａを介して接続されている。この回収用ロープ９Ａの一端部には環状のシャックル１０が設けられ、このシャックル１０に固縛ワイヤ３Ａが挿通して、ぞれぞれの固縛ワイヤ３Ａと回収用ロープ９Ａとが仮止め状態で接続されている。同様に船倉２の右側に設けたそれぞれの固縛ワイヤ３Ｂは、船倉２の左側に船体前後方向に延設された巻取りワイヤ７Ａと回収用ロープ９Ｂを介して接続され、回収用ロープ９Ｂの一端部に設けた環状のシャックル１０に固縛ワイヤ３Ｂが挿通している。
【００１６】
また、ぞれぞれの回収用ロープ９Ａ、９Ｂは中途を仮止め部１３により仮止めされてそれぞれのブロック群１１Ａ、１１Ｂの上を横切らないようにブロック群１１Ａ、１１Ｂの間に配設されている。船倉２の左右両側に延設した巻取りワイヤ７Ａ、７Ｂはそれぞれ、ワイヤドラム８ａから繰出されてウインチ８によって船体前方に巻き取られるようになっている。
【００１７】
このように、本発明の固縛ワイヤの回収装置は、それぞれの固縛ワイヤ３を回収用ロープ９を介してウインチ８により巻き取られる巻取りワイヤ７を接続する構成になっている。
【００１８】
次に、このワイヤ回収装置による固縛ワイヤ３の回収方法を説明する。図２、３に例示するように多数のブロックＲをブロック群１１Ａ、１１Ｂごとにそれぞれ固縛ワイヤ３Ａ、３Ｂで船体に固定した状態で、ブロックＲの投入位置まで運搬する。所定の投入位置では、図４に例示するように船倉２の一対の底部２ａ、２ｂを開閉する。次いで、海に第１番目に投下する１つのブロック群１１Ａを固定している固縛ワイヤ３Ａの係合部４を係脱装置５を作動してフック５ａから取外す。これにより固縛ワイヤ３Ａの係合部４側の端部の船体との固定が解除されてフリーになり、この固縛ワイヤ３Ａにより船体に固定されていたブロック群１１ＡのブロックＲが海に投入される。同様の手順により、残りのブロック群１１Ａ、１１ＢのブロックＲを時間差を設けて順次、海に投入してゆく。
【００１９】
複数のブロック群１１のブロックＲの投入は、上記の順序に限らず他の順序で投入することもでき、例えば、４つのブロック群１１Ａ、１１Ａ、１１Ｂ、１１Ｂの中心位置を目標投入位置に誘導、定位置保持した状態で、対角の位置にあるブロック群１１Ａおよび１１ＢのブロックＲを同時に海に投入し、続いて、もう一つの対角の位置にあるブロック群１１Ａおよび１１ＢのブロックＲを同時に投入することもできる。
【００２０】
係合部４側の端部がフリーになった固縛ワイヤ３Ａは、開口した船倉２の底部２ａ、２ｂから海中に垂れ下がった状態となる。固縛ワイヤ３Ａは回収用ロープ９Ａのシャックル１０に挿通しているので係合部４側の端部がフリーになった際に、回収用ロープ９Ａを引張ることになる。これにより、回収用ロープ９Ａは仮止め部１３から外れて、固縛ワイヤ３Ａとともに海中に垂れ下がった状態になる。
【００２１】
ここで、シャックル１０が固縛ワイヤ３Ａの環状の係合部４に引っ掛かるので抜けてしまうことがなく、固縛ワイヤ３Ａと回収用ロープ９Ａとの接続は維持される。この実施形態では膨出している環状の係合部４が回収用ロープ９Ａの抜け留め部として機能しているが、係合部４とは別に抜け留め部を設けてもよい。
【００２２】
すべてのブロック群１１Ａ、１１ＢのブロックＲの投入が終了し、ぞれぞれの固縛ワイヤ３Ａ、３Ｂおよび回収用ロープ９Ａ、９Ｂが海中に垂れ下がった状態で、ウインチ８を可動させて巻取りワイヤ７Ａ、７Ｂを巻き取る。これにより、図５に例示するように左右それぞれの巻取りワイヤ７Ａ、７Ｂに接続しているすべての固縛ワイヤ３Ａ、３Ｂが回収用ロープ９Ａ、９Ｂとともに船上に引揚げられる。
【００２３】
このように、本発明によれば船倉２の左右それぞれの底部２ａ、２ａ上で多数のブロックＲをブロック群１１Ａ、１１Ｂごとに固定していた多数の固縛ワイヤ３Ａ、３Ｂを、接続している巻取りワイヤ７Ａ、７Ｂごとに一度に船上に引揚げることができる。また、固縛ワイヤ３Ａ、３Ｂの数が増えても回収作業の時間が大幅に長くなることはない。このように、本発明によれば開口した一対の底部２ａ、２ｂを通じて船上から海中に垂れ下がった状態になる数多くの固縛ワイヤ３Ａ、３Ｂを効率的に船上に回収することができる。
【００２４】
これにより、すべての固縛ワイヤ３Ａ、３Ｂを船上に引揚げた後は、左右一対の底部２ａ、２ｂを固縛ワイヤ３Ａ、３Ｂを挟むことなく完全に閉口することができる。そのため、左右一対の底部２ａ、２ｂを閉口した後に、次に投入するブロックＲの固定をするための準備を円滑に進めることができる。例えば、ウインチ８で巻き取った巻取りワイヤ７Ａ、７Ｂを巻き戻してそれぞれの固縛ワイヤ３Ａ、３Ｂおよび回収用ロープ９Ａ、９Ｂを適切に船倉２内に取り回しておく。
【００２５】
この実施形態では、船倉２の左右にそれぞれウインチ８、８を設けて左右それぞれに延設した巻取りワイヤ７Ａ、７Ｂを独立して巻き取るようにしているが、１つのウインチで左右の巻取りワイヤ７Ａ、７Ｂを巻き取る構成にしてもよい。この構成によれば、船倉２の左右両側に設けたすべての固縛ワイヤ３Ａ、３Ｂを同時に船上に引揚げることができる。
【００２６】
また、この実施形態では船倉２の左右それぞれの側に設けた固縛ワイヤ３Ａ、３Ｂを対向する側に延設した巻取りワイヤ７Ａ、７Ｂに回収用ロープ９Ａ、９Ｂを介して接続することにより、回収ワイヤ９Ａ、９Ｂを必要以上に弛ませることなく船倉２に配設できるようにしているが、左右それぞれの側に設けた固縛ワイヤ３Ａ、３Ｂを同じ側に延設した巻取りワイヤ７Ａ、７Ｂに接続して船上に引揚げるように構成してもよい。
【００２７】
回収用ロープ９Ａ、９Ｂと固縛ワイヤ３Ａ、３Ｂとは固定して接続することもできるが、回収用ロープ９Ａ、９Ｂの一端部に固縛ワイヤ３Ａ、３Ｂが挿通する構成にすることにより、船倉２での回収用ロープ９Ａ、９Ｂの取り回しが容易になる。また、固縛ワイヤ３Ａ、３Ｂまたは回収用ロープ９Ａ、９Ｂに過大な力が加わった際に、回収用ロープ９Ａ、９Ｂの一端部が固縛ワイヤ３Ａ、３Ｂに対してずれ移動することにより負荷を軽減でき、固縛ワイヤ３Ａ、３Ｂおよび回収用ロープ９Ａ、９Ｂを保護することができる。
【００２８】
それぞれの回収用ロープ９Ａ、９Ｂの配設は、ブロック群１１Ａ、１１Ｂの間になるように行なうだけでなく、他の位置に配設することもできるが、実施形態のようにブロック群１１Ａ、１１Ｂの間に配設することにより、ブロックＲを海に投入する際などにブロックＲとの接触を確実に防止することができ、回収用ロープ９Ａ、９Ｂの保護とともに作業の安全性を向上させることができる。
【００２９】
尚、本発明の固縛ワイヤ３、巻取りワイヤ７とはワイヤおよびこれに類する紐状体を含み、回収用ロープ９とはロープおよびこれに類する紐状体を含むものである。
【図面の簡単な説明】
【００３０】
【図１】本発明の固縛ワイヤの回収装置の概要を例示する平面図である。
【図２】図１の一部拡大平面図である。
【図３】図１のＡ−Ａ断面図である。
【図４】図３の船倉の底部を開口してブロックを投入した状態を例示する断面図である。
【図５】固縛ワイヤを回収した状態を例示する平面図である。
【符号の説明】
【００３１】
１  作業船
２  船倉      
２ａ、２ｂ  底部
３、３Ａ、３Ｂ  固縛ワイヤ  
４  係合部
５  係脱装置
５ａ  フック
６  固定部材
７  巻取りワイヤ
８  ウインチ
８ａ  ワイヤドラム
９、９Ａ、９Ｂ  回収用ロープ
１０  シャックル
１１、１１Ａ、１１Ｂ  ブロック群
１２  支持ローラ
１３  仮止め部
Ｒ  ブロック
【図１】
2008137584.tif 000003
【図２】
2008137584.tif 000004
【図３】
2008137584.tif 000005
【図４】
2008137584.tif 000006
【図５】
2008137584.tif 000007